(57)【要約】【課題】丸氷を容易に取り出すことができる球形氷製造容器を提供すること。【解決手段】円筒状の貯水容器と、内面が半球状に形成された丸容器上半殻と丸容器下半殻とをアンダーカット結合により密に噛み合せて内部に球状の空間を有する丸容器等からなる球形氷製造容器において、丸容器上半殻に、丸容器上半殻を丸容器下半殻から上方に引き上げる把手を設けて把手付き球形氷製造容器を構成した。これにより、把手を用いて丸容器上半殻を丸容器下半殻から引き離す方向に引き上げることができ、丸容器から丸氷を容易に取り出すことができる。【選択図】  図１
2004183911.tif 000002
【特許請求の範囲】
【請求項１】
有底円筒状の貯水容器と、
前記貯水容器の外方に該貯水容器の側面及び底面との間に空隙をもって取り付けられる外容器と、
前記貯水容器上部に配置され、内面が半球状に形成された丸容器上半殻と丸容器下半殻とをアンダーカット結合により密に噛み合せて内部に球状の空間を有し、前記丸容器上半殻には頂部に空気孔を備え、前記丸容器下半殻には底部に前記貯水容器と連通する孔を備えた丸容器と、からなる球形氷製造容器において、
前記丸容器上半殻に把手を設け、該把手により前記丸容器上半殻を前記丸容器下半殻から引き上げ可能としたことを特徴とする把手付き球形氷製造容器。
【請求項２】
把手は、丸容器上半殻の頂部からずらした位置に設けられた把手基部と、該把手基部から前記丸容器上半殻の頂部を挟んで該把手基部と対向した位置に延設された握り部とからなることを特徴とした請求項１に記載の把手付き球形氷製造容器。
【請求項３】
有底円筒状の貯水容器と、
前記貯水容器の外方に該貯水容器の側面及び底面との間に空隙をもって取り付けられる外容器と、
前記貯水容器上部に配置され、内面が半球状に形成された丸容器上半殻と丸容器下半殻とをアンダーカット結合により密に噛み合せて内部に球状の空間を有し、前記丸容器上半殻には頂部に空気孔を備え、前記丸容器下半殻には底部に前記貯水容器と連通する孔を備えた丸容器と、からなる球形氷製造容器において、
前記丸容器上半殻の上面に設けられた把手基部と、
前記把手基部と該把手基部と対をなしている他の把手基部との間に設けられた持ち手と、
前記把手基部の近傍に形成された、前記持ち手を上方に折曲する折曲線と、
該折曲線より前記持ち手と逆方向に延設され、前記折曲線に沿って前記持ち手を上方に向けて立ち上げると、丸容器下半殻の上面外周上に先端が当接する腕片と、を備えたことを特徴とした把手付き球形氷製造容器。
【請求項４】
持ち手の外周から内周側に向けて横切欠き線を形成し、前記横切欠き線の終端からほぼ該持ち手の長手方向に沿って該持ち手中央に向けて縦切欠き線を形成して腕片を設け、該縦切欠き線の終端から折曲線を形成したことを特徴とした請求項３に記載の把手付き球形氷製造容器。
【請求項５】
持ち手が平板円環状で丸容器下半殻の上面外周上に設けられ、丸容器上半殻の頂部を挟んで両側に把手基部を設け、折曲線を前記把手基部の縁に沿い、かつ丸容器上半殻の頂部を通る中心線と交差する線上に形成したことを特徴とした請求項４に記載の把手付き球形氷製造容器。
【発明の詳細な説明】
【０００１】
【発明の属する技術分野】
本発明は、球形で、しかも気泡を含まない透明な氷を家庭用冷蔵庫で製造する球形氷製造容器に関する。
【０００２】
【従来の技術】
家庭用冷蔵庫で気泡を含まない透明の氷を、例えば球形に製造する球形氷製造容器としては、図７、図８に示す例が知られている。これらの図に示す球形氷製造容器５０は、上下で２分割される球形の丸容器５２と、この丸容器５２の下部に丸容器５２の下部と孔５３で連通した貯水容器５４とを備えており、貯水容器５４の上部に丸容器５２を載置し、双方に水を満たし、冷凍庫に入れて凍結させる。
【０００３】
すると、図８に示すように球形氷製造容器５０内で凍結が最後となる貯水容器５４内に気泡６０が発生し、丸容器５２内には気泡がない透明で、しかも丸容器５２により球形の丸氷６２が製造される。
【０００４】
この丸容器５２は、内部から水が漏れ出ないように結合部には水密性が施され、更に水が凍結する際体積が膨張するため、膨張によって結合が解除されないよう上半殻５５と下半殻５７とをアンダーカット結合等により強く結合してある。
【０００５】
そして丸氷６２ができると、まず貯水容器５４から丸容器５２を外し、そして丸容器５２の上半殻５５と下半殻５７との結合を解除して、できあがった丸氷６２を丸容器５２から取り出しオンザロックの氷などに用いていた。（例えば特許文献１、非特許文献１参照。）。
【０００６】
【特許文献１】
特開２００２−１５６１７３号公報。
【非特許文献１】
サントリー株式会社、“ＳＵＮＴＯＲＹ  ＷＨＩＳＫＹ  膳／透明まんまる氷製氷器Ｑ＆Ａ”、〔平成１４年１１月１日検索〕、インターネット＜ＵＲＬ：ｈｔｔｐ／／ｗｗｗ．ｓｕｎｔｏｒｙ．ｃｏ．ｊｐ／ｗｈｉｓｋｙ／ｚｅｎ／ｓａｉｊｉｋｉ／ｍａｎｍａｒｕ／ｑａｎｄａ２／ｉｎｄｅｘ．ｈｔｍｌ＞。
【０００７】
【発明が解決しようとする課題】
しかしながら、従来は上述したように上半殻５５と下半殻５７とをアンダーカット結合等により強く結合してあり、しかも丸容器５２の内面にできあがった丸氷６２が凍りついているため、丸容器５２の分割に非常に手間がかかっていた。
【０００８】
殊に、図９に示すように丸容器５２の外形は、ほぼ球状であることから上半殻５５がつかみにくく、上半殻５５と下半殻５７とをそれぞれ持って互いを引き離すことが難しく、このため嵌合部等の隙間での氷結、あるいは上半殻５５あるいは下半殻５７と丸氷との氷結を十分解除する必要があり、何度も水を懸けたり、数分間放置したりするため、手間と時間を要すると共に、かなりの力を要していた。
【０００９】
本発明は、上記課題を解決し、丸容器を容易に分割でき、製造された丸氷を丸容器から手早く取り出すことができる球形氷製造容器を提供することを目的とする。
【００１０】
【課題を解決するための手段】
本発明は上記課題を解決し、丸容器を容易に分割でき、丸氷をすぐに取り出し利用できる球形氷製造容器を提供するため、次のように球形氷製造容器を構成した。
【００１１】
請求項１に記載の発明によれば、有底円筒状の貯水容器と、前記貯水容器の外方に該貯水容器の側面及び底面との間に空隙をもって取り付けられる外容器と、前記貯水容器上部に配置され、内面が半球状に形成された丸容器上半殻と丸容器下半殻とをアンダーカット結合により密に噛み合せて内部に球状の空間を有し、前記丸容器上半殻には頂部に空気孔を備え、前記丸容器下半殻には底部に前記貯水容器と連通する孔を備えた丸容器と、からなる球形氷製造容器において、  前記丸容器上半殻に把手を設け、該把手により前記丸容器上半殻を前記丸容器下半殻から引き上げ可能とした。
【００１２】
これにより、把手を用いて丸容器上半殻を丸容器下半殻から引き上げることができ、丸容器下半殻と丸容器上半殻との結合を解除して、丸容器から丸氷を容易に取り出すことができる。
【００１３】
請求項２に記載の発明によれば、請求項１に記載の発明において、把手は、丸容器上半殻の頂部からずらした位置に設けられた把手基部と、該把手基部から前記丸容器上半殻の頂部を挟んで該把手基部と対向した位置に延設された握り部とから形成した。
【００１４】
これによれば、握り部を引き上げると丸容器上半殻が丸容器下半殻から斜め上方に引き上げられ、丸容器上半殻と丸容器下半殻との結合をより容易に解除し、丸氷を手早く取り出すことができる。
【００１５】
請求項３に記載の発明によれば、有底円筒状の貯水容器と、前記貯水容器の外方に該貯水容器の側面及び底面との間に空隙をもって取り付けられる外容器と、前記貯水容器上部に配置され、内面が半球状に形成された丸容器上半殻と丸容器下半殻とをアンダーカット結合により密に噛み合せて内部に球状の空間を有し、前記丸容器上半殻には頂部に空気孔を備え、前記丸容器下半殻には底部に前記貯水容器と連通する孔を備えた丸容器と、からなる球形氷製造容器において、前記丸容器上半殻の上面に設けられた把手基部と、前記把手基部と該把手基部と対をなしている他の把手基部との間に取り付けられた持ち手と、前記把手基部それぞれの近傍に形成された、前記持ち手を上方に折曲する折曲線と、該折曲線より前記持ち手と逆方向に延設され、前記折曲線に沿って前記持ち手を上方に向けて立ち上げると、丸容器下半殻の上面外周上に先端が当接する腕片と、を備えて把手付き球形氷製造容器を構成した。
【００１６】
これによれば、持ち手を折曲線から引き上げると、腕片が持ち手とともに回動し腕片先端が丸容器下半殻の上面外周に当接する。更に持ち手を引き上げると、腕片の先端を支点として折曲点が丸容器下半殻から持ち上げられ、丸容器上半殻と丸容器下半殻との結合が解除される。丸容器上半殻と丸容器下半殻とが腕片により分割されたら、持ち手を持った状態で丸容器上半殻を引き上げることにより、丸容器上半殻を丸容器下半殻から容易に取り外しでき、丸氷を手早く取り出すことができる。
【００１７】
請求項４に記載の発明によれば、請求項３に記載の発明において、持ち手の外周から内周側に向けて横切欠き線を形成し、前記横切欠き線の終端からほぼ該持ち手の長手方向に沿って該持ち手中央に向けて縦切欠き線を形成して腕片を設け、該縦切欠き線の終端から折曲線を形成した。
【００１８】
請求項５に記載の発明によれば、請求項４に記載の発明において、持ち手が平板円環状で丸容器下半殻の上面外周上に設けられ、丸容器上半殻の頂部を挟んで両側に把手基部を設け、折曲線を前記把手基部の縁に沿い、かつ丸容器上半殻の頂部を通る中心線と交差する線上に形成した。
【００１９】
これらによれば、球形氷製造容器の成形を容易にでき、しかも腕片が持ち手に形成した縦横の切欠き線により構成されるので構造を簡易にできる。
【００２０】
【発明の実施の形態】
以下、本発明にかかる把手付き球形氷製造容器の一実施形態を、図面を参照して説明する。
【００２１】
球形氷製造容器１は全体が合成樹脂などからなり、図１、図２に示すように貯水容器２と、貯水容器２の上部に配置された丸容器４と、貯水容器２の外方に取り付けられている外容器６等とから構成されている。
【００２２】
貯水容器２は上方が開口した有底円筒状の容器であり、上部が本体部３から一段拡径されている。外容器６は、貯水容器２上部の拡径した部分の外径にほぼ等しい外径で、貯水容器２の外周に取り付けると貯水容器２の側壁面および底面と所定の間隔の空隙を形成する。
【００２３】
丸容器４は、内面が半球状に形成された丸容器上半殻８（以下、上半殻８とする。）と丸容器下半殻９（以下、下半殻９とする。）からなり、上半殻８と下半殻９の外径は貯水容器２の本体部３の内径に等しく、丸容器４を貯水容器２にガタ付きなく嵌め合わせられる。
【００２４】
下半殻９は、半球状に形成された半球部１１と、半球部１１の外周に貯水容器２の上部内側に嵌る縁体１３を備え、縁体１３の上端は、貯水容器２の上端を越えて外方に延設されている。半球部１１の底部には、貯水容器２内に連通する孔１０が開口され、また内面上部にはアンダーカット結合の一方の取付溝１４が上縁に沿って形成されている。
【００２５】
上半殻８は、半球状に形成された半球部１５の外面に取付溝１４に対応した突条１６が周縁に沿って形成してあり、頂部に空気孔１２が開口している。また半球部１５の外表面には把手２１が設けられている。
【００２６】
把手２１は、把手基部としての支持台１７と握り部１８からなり、支持台１７は、半球部１５の頂部から側方にずれた位置に設けられ、また握り部１８は円環状で、上半殻８の頂部に対して同心で、かつほぼ水平になるよう形成されている。
【００２７】
次に、球形氷製造容器１の使用方法について説明する。
【００２８】
まず、貯水容器２に外容器６を嵌め、貯水容器２内を上部まで製氷用の水で満たす。丸容器４は、上半殻８と下半殻９とを取付溝１４と突条１６との噛み合わせにより確実に結合させ、貯水容器２に上から沈める。丸容器４へは孔１０から貯水容器２内の水が徐々に流入し、丸容器４を本体部３に嵌め合わせて貯水容器２内に完全に沈めると丸容器４の内部が製氷用の水で満たされる。
【００２９】
かかる状態で球形氷製造容器１を冷凍庫内に収容し、凍結させる。冷凍庫内では、周囲の壁面からできるだけ離して球形氷製造容器１を置き、球形氷製造容器１の上面からのみ冷気が触れるようにすると好ましい。
【００３０】
貯水容器２は、周囲に外容器６との間で形成される空気層があることから断熱作用があり、冷凍庫内の冷気が直接接するのは丸容器４の上面になる。そのため球形氷製造容器１では、丸容器４の上方から凍結が開始される。凍結は基本的に気泡を排除しながら行われるので、貯水容器２より先に凍結を開始する丸容器４内には気泡を含まない氷が徐々に形成される。
【００３１】
また水が凍結するとその体積が膨張するので、丸容器４内での凍結に伴い膨張した分の水が孔１０から貯水容器２内に気泡を含んだ状態で流出する。丸容器４内での凍結が完了し、更に冷却されると、貯水容器２内での凍結が開始する。貯水容器２では、貯水容器２の周縁から凍結が始まり、そして貯水容器２の中心部分付近で最後の水が凍結する。そのため、凍結が最後になる貯水容器２に気泡が閉じ込められた氷が形成される。
【００３２】
球形氷製造容器１内が完全に凍結したなら、球形氷製造容器１を冷凍庫から取り出し、まず下半殻９を上方から押えながら、図３に示すように上半殻８の握り部１８の内側に指Ｆをかけ握り部１８を上方に持ち上げる。このように握り部１８を持って上半殻８を引き上げることができ、しかも図３に示すように上半殻８が斜め上方向に引き上げられるので、取付溝１４と突条１６とのアンダーカット結合を容易に解除し、下半殻９から上半殻８を分離できる。
【００３３】
上半殻８が下半殻９から分離できたら、丸容器４と貯水容器２とを分割する。丸容器４と貯水容器２とは孔１０で連結しているだけであるので、孔１０内にある氷を折るだけで容易に分割できる。このようにして、透明な丸氷６２を丸容器４から取り出したなら、丸氷６２をカップなどに移し替えてオンザロックの氷などとして用いる。
【００３４】
次に球形氷製造容器の他の形態について、図４、図５、図６を用いて説明する。
【００３５】
この球形氷製造容器３０は、貯水容器２、丸容器３１、外容器６等の基本的構造は上述した球形氷製造容器１と同様であり、重複するためそれらの説明は省略する。
【００３６】
球形氷製造容器３０は、上半殻３２に設けられた把手３４が球形氷製造容器１と異なっている。上半殻３２の上面には、上半殻３２の頂部を挟んで対向させて、把手基部としての２つの支持柱３６が立設してある。支持柱３６の上部に平板円環状の把手３４が取り付けてあり、把手３４は、上半殻３２と下半殻３３とを嵌合させ、丸容器４を貯水容器２内に配置すると下半殻３３の上面外周上に載置される。
【００３７】
把手３４には、中央に指掛け部４２が形成してあり、またそれぞれの支持柱３６の近傍で外周から内周側に向けて把手３４の幅方向のほぼ半分位置まで横切欠き３８が形成してあり、更に横切欠き３８の終端から把手３４に沿って縦切欠き３９が形成してある。これら横切欠き３８と縦切欠き３９との区画により、把手３４に腕片４０が形成してある。
【００３８】
縦切欠き３９は、左右それぞれに形成された縦切欠き３９の終端を結ぶ線が上半殻３２の頂部を通るように形成されている。そして、この終端同士を結ぶ線に沿って縦切欠き３９の終端から把手３４の内側に向けて折曲線４１が形成されている。ここで２つの折曲線４１の間に挟まれた指掛け部４２を含む側を腕片４０を含めて持ち手４４とする。
【００３９】
次に、球形氷製造容器３０の把手３４の作用について説明する。
【００４０】
上述したように球形氷製造容器３０で丸氷６２を製造したなら、まず指掛け部４２を持って持ち手４４を持ち上げる。すると持ち手４４は折曲線４１で折曲され、同時に腕片４０の先端が貯水容器２の上面に当接する。そして更に持ち手４４を上方に持ち上げると、腕片４０が貯水容器２の上面を押し下げ、折曲線４１を持ち上げる。これにより、上半殻３２を下半殻３３に対して上方に引き上げ、取付溝１４と突条１６とのアンダーカット結合を解除して、下半殻９から上半殻８を分離できる。
【００４１】
把手３４がほぼ垂直に立ち上げられると、腕片４０により上半殻３２は下半殻３３に対して完全に引き離され、持ち手４４を上方に引き上げると、上半殻３２を下半殻３３から取り外すことができる。
【００４２】
このように、球形氷製造容器３０によれば、腕片４０を有する把手３４を設けたことにより、持ち手４４を引き上げるとテコの作用が働き、上半殻３２を下半殻３３から分離でき、更に持ち手４４を持って直接引き上げることができるので、容易に丸容器４の分割ができ、丸氷６２を丸容器４からすぐに取り出すことができる。
【００４３】
なお、折曲線４１は、頂部を通る中心線と交差する直線上になくともよい。また折曲線４１を丸容器４の頂部からずらして２箇所に設け、持ち手４４を２箇所、折曲線４１に合わせて丸容器４の頂部を挟んでそれぞれ両側に設けるようにしてもよい。更に、腕片４０の長さは、アンダーカット結合の結合力等を鑑みて適宜決定される。
【００４４】
【発明の効果】
本発明の球形氷製造容器によれば、以下の効果を有する。
【００４５】
請求項１に記載の発明によれば、丸容器の上半殻に把手を設けたことにより、把手を用いて上半殻を下半殻から引き上げることができるので、力がいれ易く、丸氷を製造した後丸容器を容易に分割し、丸容器から丸氷を直ちに取り出すことができる。
【００４６】
請求項２に記載の発明によれば、把手の基部を丸容器上半殻の頂部からずらした位置に取り付け、基部から頂部を挟んだ対向位置に把手の握り部を設けたことから、把手を持って引き上げると丸容器上半部を斜め方向から引き上げることができ、小さい力で丸容器上半部を丸容器下半部から引き離すことができる。
【００４７】
請求項３に記載の発明によれば、把手を折曲可能とし、折曲線から先方に腕片を延設させ、把手を立ち上げたとき腕片が丸容器下半殻の上面に当接するように構成したことから、把手で丸容器上半部を持ち上げる前に、把手を立ち上げたときのテコの作用により丸容器上半殻を丸容器下半殻から分離でき、その後把手を持って引き上げることにより丸容器上半殻を丸容器下半殻から取り外すので、丸容器上半殻の取り外しがより小さな力で可能となる。
【００４８】
請求項４及び５に記載の発明によれば、いずれもより確実に、かつ簡易に丸容器の分割ができ、丸氷を直ちに取り出すことができる球形氷製造容器を提供できる。
【図面の簡単な説明】
【図１】本発明にかかる球形氷製造容器の一実施形態を示す平面図である。
【図２】本発明にかかる球形氷製造容器の一実施形態を示す側断面図である。
【図３】図１に示した球形氷製造容器の使用状態を示す一部断面図である。
【図４】他の実施形態を示す平面図である。
【図５】他の実施形態を示す断面図である。
【図６】他の実施形態を示す分解斜視図である。
【図７】従来の例を示す平面図である。
【図８】従来の例を示す断面図である。
【図９】従来の例を示す分解斜視図である。
【符号の説明】
１  ；  球形氷製造容器
２  ；  貯水容器
３  ；  本体部
４  ；  丸容器
６  ；  外容器
８  ；  丸容器上半殻
９  ；  丸容器下半殻
１０  ；孔
１１  ；半球部
１２  ；空気孔
１３  ；縁体
１４  ；取付溝
１５  ；半球部
１６  ；突条
１７  ；支持台
１８  ；握り部
２１  ；把手
３０  ；球形氷製造容器
３１  ；丸容器
３２  ；丸容器上半殻
３３  ；丸容器下半殻
３４  ；把手
３６  ；支持柱
３８  ；横切欠き
３９  ；縦切欠き
４０  ；腕片
４１  ；折曲線
４４  ；持ち手
５０  ；球形氷製造容器
６０  ；気泡
６２  ；丸氷
Ｆ    ；指
【図１】
2004183911.tif 000003
【図２】
2004183911.tif 000004
【図３】
2004183911.tif 000005
【図４】
2004183911.tif 000006
【図５】
2004183911.tif 000007
【図６】
2004183911.tif 000008
【図７】
2004183911.tif 000009
【図８】
2004183911.tif 000010
【図９】
2004183911.tif 000011